(57)【要約】      （修正有）【課題】廃食油からバイオディーゼル燃料油の製造の中で、低級アルコールとアルカリ触媒を添加し、反応後の脂肪酸アルキルエステル溶液とグリセリン溶液の分離を、バラツキの大きい人為的作業から高効率で精度が得られる検知器による方法と環境負荷の大きい水洗浄による排水処理作業を省略できる方法を提供する。【解決手段】脂肪酸アルキルエステル溶液とグリセリン液の分離は、ＬＥＤ赤色ランプの６５０ｎｍの波長を通過する光強度を測定できる検知器を設置によって可能になり、水洗浄による排水処理作業の省略化は比表面積の大きい微粒子のケイ酸アルミニウム化合物などにより、不純物の吸着除去が可能になった。【選択図】なし【特許請求の範囲】
【請求項１】
飽和脂肪酸及び不飽和脂肪酸を含有する油脂類を原料として、直鎖低級アルコールにアルカリ化合物を触媒として混合し、溶解したアルキサイト溶液を添加し、混合撹拌および加熱などにより、アルキルエステル化反応を完結させる。アルキルエステル化反応が完了した後に、化学反応により生成された脂肪酸アルキルエステル層とグリセリン層を反応槽タンク内で静置する事により比重差で分離する。分離された層は、上部には脂肪酸アルキルエステル化合物で下部にはブリセリン液が位置する。上層部の脂肪酸アルキルエステル化合物を燃料油にするのに、最初にグリセリン液との完全分離及び不純物吸着除去工程への注入および切り替えする必要があり、光透過式波長識別センサーを用いて自動的にバルブ操作を行うようにする。次にグリセリン液と完全分離した脂肪酸アルキルエステル化合物は、不純物を吸着除去するために不純物吸着除去装置内へ注入精製し、脂肪酸アルキルエステル燃料油を製造する事を特徴とする製造方法と製造装置。
【請求項２】
飽和脂肪酸及び不飽和脂肪酸を含有する油脂原料として、とうもろこし油・ひまわり油・オリーブ油・カカオ油・アーモンド油・パーム油・ヤシ油・パーム核油・サフラワー油・紅花油・亜麻仁油・綿実油・菜種油・桐油・ヒマシ油・ゴマ油・大豆油あるいはこれらの群れの１種または２種以上の混合油や使用油なども使用でき、非食用の油脂としてジャトロファ種子を搾油した原油なども使用できる事を特徴とする請求項１に記載の脂肪酸アルキルエステル燃料油の製造方法。
【請求項３】
請求項１のアルキルエステル化反応で用いる直鎖低級アルコールとして、炭素数１から６まで分岐状でメチルアルコール・エチルアルコール・ノルマルプロピルアルコール・イソプロピルアルコール・ノルマルブチルアルコールおよびイソブチルアルコールからなる群れから選ばれた１種または２種以上のアルコールを含有する事を特徴とする脂肪酸アルキルエステル燃料油の製造方法。
【請求項４】
請求項１及び請求項２のアルキルエステル化反応で使用するアルカリ化合物の触媒として、水酸化カルシウム・水酸化ナトリウム・水酸化マグネシウム・水酸化リチウム・炭酸カリウム・炭酸ナトリウム・炭酸カルシウム・炭酸マグネシウムからなる群れから選ばれた１種または２種以上のアルカリ金属を含有する事を特徴とする脂肪酸アルキルエステル燃料油の製造方法。
【請求項５】
請求項１記載のアルキルエステル化反応後に精製される脂肪酸アルキルエステル槽と、グリセリン槽を自動的に分離するために反応槽下部に一部透明の配管を設置し、投光部および受光部・検出器・増幅装置からなる光透過式の波長識別センサー馳走を装備し、赤色ＬＥＤを光源とする光を波長６５０ｍｍでの濃茶色のグリセリン層と淡黄色の脂肪酸アルキルエステル層を通過する時の光強度を測定し、光透過強度の小さいグリセリン層と光透過強度の大きい脂肪酸アルキルエステル層の切り替わり点を光強度の数値で設定し、自動的に２つの層の境界面でバルブ操作により切り替えて分離することを特徴とする請求項１〜請求項４に記載された脂肪酸アルキルエステル燃料油の製造装置。
【請求項６】
請求項１に記載されたアルキルエステル化反応後の脂肪酸アルキルエステル層と、グリセリン層を請求項５に記載された光透過式の波長識別センサーで分離された脂肪酸アルキルエステル層を、活性アルミナ・ドロマイト・ケイソウ土・アルミナホワイト・パーライト・水酸化アルミニウム・水不溶性塩基性硫酸アルミニウム・活性白土からなる群れより選ばれた１種または２種以上混合した不純物吸着材を充填した装置で脂肪酸アルキルエステル層を精製し、燃料油化する事を特徴とした請求項１〜５に記載された脂肪酸アルキルエステル燃料油の製造方法及び製造装置。
【発明の詳細な説明】
【技術分野】
【０００１】
本発明は各種の脂肪酸を含有する油脂を、脂肪酸アルキルエステル燃料油を製造する方法および装置に関する。
【背景技術】
【０００２】
最近では地球温暖化問題が大きくクローズアップされ、環境に対する負荷の小さい軽油代替燃料として再生可能なエネルギー源として植物から生成された燃料が注目され、研究が盛んにおこなわれている。
【０００３】
世界的には化石燃料である軽油の代替燃料の原料である植物は多種多様で現存するが、日本では極限られた地域や小品種に限定されているのが現状である。
【０００４】
日本のエネルギー施策は軽油代替燃料として廃食油を原料にして、燃料油化しようとしている。
【０００５】
廃食油も元々は大豆・菜種・ひまわり・ゴマ・オリーブ・ひまわりなどの植物から製造されたものであり、京都議定書で定められた炭酸ガスの排出量はゼロカウントされるものである。
【０００６】
廃食油を燃料化して、軽油の代替でディーゼルエンジンに使用される事から一般的にはバイオディーゼル燃料、略してＢＤＦと呼ばれている。
【０００７】
日本では廃食油から製造されるバイオディーゼル燃料は１年間におよそ１００００ＫＬ生産され、限定的に使用されているが２００７年１月には軽油に５％のバイオディーゼル燃料を混合した品質規格が制定された。
【０００８】
廃食油からバイオディーゼル燃料化する技術としてはアルコールで油脂中に含まれるモノグリセリド・ジグリセリド・トリグリセリドとエステル交換反応させる方法が一般的である。
【０００９】
廃食油からバイオディーゼル燃料の製造する方法として実際的には、低級アルコールとアルカリ触媒あるいは酸触媒を用いて、エステル交換反応によって生成された脂肪酸エステル、すなわちＢＤＦとグリセリンを分離してＢＤＦを水で洗浄して精製する方法が多く採用されている。
【００１０】
バイオディーゼル燃料として使用するために欧米では、ＥＮ１４２１４およびＡＳＴＭＤ６７５１等によって厳しい品質基準値が設けられており、エステル交換反応効率の向上の技術を中心に酸化安定性・水分・残留不純物の除去技術の検討が種々行われている。
【００１１】
廃食油他の原料油を低級アルコールとして、メチルアルコールに水酸化ナトリウムもしくは水酸化カリウムをアルカリ触媒として溶解し３０〜６５℃の温度範囲で加熱および拡販を３０〜２４時間行い、エステル交換反応を完結させて、反応槽タンク内で静置し、上部軽液の脂肪酸メチルエステル層と下部重液のグリセリン層を分離した後に、下部重液のグリセリン層を排出する。
【００１２】
残留した脂肪酸メチルエステル、液すなわち粗バイオディーゼル燃料中には種々の不純物が混在しており、精製しなければ用途目的であるディーゼルエンジンあるいは周辺の設備に悪影響を及ぼすことが予想される。
【００１３】
精製前の脂肪酸メチルエステル中にはケン化反応により生成されたセッケン成分、分離しきれなかったグリセリン・未反応のメチルアルコール・酸性成分とアルカリ成分と反応して生成した塩化合物など様々な不純物が含有されている。
【００１４】
不純物を含有した脂肪酸メチルエステルの精製方法には水洗浄法あるいは吸着除去法などの方法が採用されている。
【００１５】
中でも水あるいは温水などによる洗浄方法は容易で手間がかからず、安価なために一般的に行われている。
【００１６】
しかし最近では、水あるいは温水などによる洗浄法で１回以上の洗浄でないと不純物が十二分に除去できない。あるいは精製後の脂肪酸メチルエステル燃料油中に水分が基準値の５００ｐｐｍ以上残留し、品質基準値をクリアー出来ないことが明らかにされてきた。
【００１７】
その他洗浄後の排水はアルカリ触媒を使用するために水素イオン濃度（ｐＨ）が高く、固形のセッケン成分や未反応アルコール、残留するグリセリンなどを含有し、排水処理規制の対象として取り扱われる。
【００１８】
排水処理は放流する場所である河川や下水などで規制値は違ってくるが、ｐＨの調整や高濃度有機物含有廃水の処理は、当該の廃食油他植物油原料油からバイオディーゼル燃料油を製造する方法として、大きなウェートを占める課題である。
【００１９】
排水処理方法として、微生物による生物処理やＵＦメンブレンフィルターなどによる膜処理方法などが挙げられるが、処理能力・設備費あるいはランニングコストなどで大きな負担となっているのが現状である。
【００２０】
他方、廃食油他植物油から低級アルコールとアルカリ触媒を使用して、脂肪酸アルキルエステル燃料油すなわちバイオディーゼル燃料油を製造する装置は大半が人的な操作を多く必要とする手動式の回分型が多く採用されている。
【００２１】
手動式の回分型では一般的な所要作業時間である約６〜８時間の間は人が拘束される事になり、無駄が多く、せっかく廃食油などを利用して環境負荷の小さい安価なバイオディーゼル燃料油を製造しようとしているのに、排水処理では環境に対する負荷が非常に大きく、人件費が大きく締めるようでは安価な商品にはなりえない製造装置として改善が求められている。
【００２２】
【特許文献１】特開2009−13268
【特許文献２】特開2008−274030
【特許文献３】特開2008−260819
【特許文献４】特開2008−239941
【特許文献５】特開2008−239938
【特許文献６】特開2008−81730
【特許文献７】特開2008−45056
【特許文献８】特開2008−23411
【特許文献９】特開2006−257269
【発明の開示】
【発明が解決しようとする課題】
【００２３】
本発明は飽和脂肪酸あるいは不飽和脂肪酸を含む植物油他廃食油などを原料にして、低級アルコールおよびアルカリ触媒でエステル交換反応を完結し、設備費やランニングコストあるいは環境への負担が大きい水あるいは温水での洗浄による精製工程を必要としない脂肪酸アルキルエステル燃料油すなわち、バイオディーゼルで燃料油の高収率で合理的な製造方法および製造装置を提供する。
【００２４】
飽和脂肪酸あるいは不飽和脂肪酸を含む植物油他廃食油などの原料油中には遊離脂肪酸や水分あるいは酸化性分などが含まれており、アルコロシスによるエステル化反応を阻害し、脂肪酸アルキルエステル燃料油すなわちバイオディーゼル燃料油の生成の収率に大きく影響する。
【００２５】
植物油他廃食油などの原料油中に遊離脂肪酸が多く含まれると触媒として用いる水酸化カリウムあるいは水酸化ナトリウムなどのアルカリ金属と反応し、セッケンを生成し、収率を低下させる原因となる。
【００２６】
その他、原料油中に遊離脂肪酸が含まれるとエステル反応後の脂肪酸アルキルエステル燃料油の水あるいは温水での洗浄工程でエマルジョン化してしまい、燃料油としては使用できない。
【００２７】
原料油中に含まれる遊離脂肪酸の影響を受けないために、硫酸やリン酸などの無機酸やトルエンスルホン酸などの有機酸が酸性触媒として提供されているが、エステル化反応後の生成油からの分離が困難である。
【００２８】
その他、スルホン酸系イオン交換樹脂やヘテロポリ酸をシリカゲルや活性炭あるいは酸化アルミニウムなどに担持した固体酸触媒法なども検討されているが、エステル化交換反応の交換率が低い。
【００２９】
植物油他廃食油を原料にして、低級アルコールとアルカリ触媒を用いたエステル交換反応後の脂肪酸アルキルエステル化合物はセッケン・水・未反応アルコールあるいは残留グリセリンなどが含有されており、水あるいは温水などによる洗浄による精製を行わないと燃料油として使用できない。
【００３０】
水あるいは温水により洗浄した排水は、アルカリ成分により水素イオン濃度が高く、アルコールやグリセリン、あるいは脂肪酸アルキルエステル化合物などの生物化学的酸素要求量（Ｂ.Ｏ.Ｄ）成分が高く、微生物処理などの排水処理が必要である。
【００３１】
水あるいは温水による洗浄も確実に燃料油中から不純物を除去するためには、１回のみならず２回以上の工程が必要であり、処理しなければならない排水量も製造する燃料油量の２〜３倍程度になる。
【００３２】
水あるいは温水による洗浄作業は添加作業・分離作業・移動作業などすべて人手による事が多く、非常に非合理的な方法が採用されている。
【００３３】
本発明は植物油他廃食油などを原料にした酸またはアルカリを触媒にして、アルコールとのエステル交換反応時に生成される脂肪酸アルキルエステル化合物の生成方法を水あるいは温水を用いないで簡単に生成ができ、環境への負担が極端に小さいバイオディーゼル燃料油としてディーゼルエンジンに使用できる品質の燃料油を製造する方法および装置を提供する。
【課題を解決するための手段】
【００３４】
本発明は植物油他廃食油などを原料にして、アルコールおよびアルカリ触媒を用いて製造する脂肪酸アルキルエステル化合物の生成条件を検討し、エステル交換反応の効率を上げ、グリセリン層との分離を確実に行うことのできる装置を考案し、水あるいは温水による精製をやめて、吸着剤で不純物の除去を行うなどにより課題の解決を行った。
【００３５】
上記の脂肪酸アルキル化合物のエステル交換反応の収率を挙げるために、２段階による反応や酸性化合物の添加によりエステル交換反応を終結させ、グリセリン層との分離性の向上を図るなどする製造方法を提供する。
【００３６】
その他、分離性が向上した脂肪酸アルキルエステル化合物とグリセリン層の分離排出を自動的に検知してバルブ操作を行うための光透過式の波長識別センサーなる検出器を開発して、非合理的な人手による分離作業を必要としない事を特徴とする脂肪酸なるアルキルエステル燃料油、すなわちバイオディーゼル燃料油の製造装置を提供する。
【００３７】
上記の自動分離操作で分離された脂肪酸アルキルエステル化合物はセッケン成分や水分あるいは残留する微量のグリセリンなどを含んでいるので精製し、不純物を除去する必要がある。
【００３８】
不純物除去の方法には一般的には水または温水による洗浄方法が一般的に採用され実施されているが、洗浄後の脂肪酸アルキルエステル燃料油中に水分が規格値以上残留し除去が難しい。
【００３９】
洗浄廃水が製造する燃料油の２〜３倍排出され、ｐＨや生物化学的水素要求量（Ｂ．Ｏ．Ｄ）あるいは化学的酸素要求量（Ｃ．Ｏ．Ｄ）などが排水の基準を大きく上回り、処理が難しくコストも高くなるなど大きな問題が発生した。
【００４０】
本発明では脂肪酸アルキルエステル化合物の精製に水または温水などによる洗浄を必要としない、多孔質の無機の微細な粉末を吸着材に用いて、不純物を吸着・ろ過操作により除去することができる事を特徴とする脂肪酸アルキルエステル燃料油、すなわちバイオディーゼル燃料油の製造方法および製造装置を提供する。
【発明の効果】
【００４１】
上述したように本発明は植物油、あるいは廃食油他の油脂類を原料にした脂肪酸アルキルエステル化合物、すなわちバイオディーゼル燃料油を製造する際のエステル交換反応の収率の向上や水洗浄による排水処理作業をなくし、不純物除去の精製工程を吸着材を使用することで人的作業が簡略化され、ランニングコストも抑制できる。
【図面の簡単な説明】
【００４２】
【図１】図１は本発明の作業工程の概要を示す図である。
【図２】図２は本発明の製造装置の図である。
【図３】図３は本発明の光透過式波長測定検出器の詳細図を示す。
【００４３】
また、反応収率の向上や水を使用しないことでバイオディーゼル燃料油の品質が高品質で安定化でき、排水処理が不要なので環境への負荷も軽減される。
【００４４】
さらに本発明の脂肪酸エステル反応後の上部軽液脂肪酸アルキルエステル化合物と下部重液のグリセリン層の排出部分離作業時のバルブ操作を透過式波長センサーの高透強度の差を測定する検出器を設置する事によって、自動操作が可能になり、自動化装置または大型化装置あるいは連続式などのバイオディーゼル製造装置の開発および製造が容易になる。
【発明を実施するための最良の形態】
【００４５】
以下、本発明の実施形態を添付図面を参照して説明する。図１は本発明の作業工程概要を示す図であるが、本図は一例であって限定されるものではない。
【００４６】
本発明は図１の作業工程概要に示されるように廃食油原料タンクから反応タンクに一定量移し入れて、薬液タンク３の薬品を添加し、加熱・撹拌し静置後に光透過式波長検知器４で上部脂肪酸アルキルエステル層軽液と下部グリセリン層重液の波長を測定し、自動のバルブ操作により下部グリセリン層重液のみ排出する。
【００４７】
残った脂肪酸アルキルエステル層液に再度薬品を添加し、エステル交換反応を簡潔に導いて同様の静置・自動の分離作業を行う。
【００４８】
自動のバルブ操作により分離された脂肪酸アルキルエステル層は、不純物を除去するために吸着精製工程８に送られ、吸着またはろ過作用などにより不純物が除去されて、次のバイオディーゼル燃料油貯槽タンクに移し入れて燃料油として使用される。
【００４９】
図２は、本発明を実施する際の図１の作業工程概要図をより具体化した装置図を示すものである。
【００５０】
図２の装置図では、原料タンク・反応タンク・光透過式波長測定検出器・吸着塔・製品タンクなどを例示しているが、本発明の特徴である光透過式波長測定検出器の詳細説明をする為に図３を例示した。
【００５１】
脂肪酸アルキルエステルの反応残液の精製工程では、水及び温水などによる洗浄を必要としない無機粉末吸着材を用いる精製方法も本発明の特徴の一つである。
【００５２】
本発明の飽和脂肪酸及び不飽和脂肪酸を含有する油脂類の原料として、とうもろこし油・ひまわり油・オリーブ油・カカオ油・アーモンド油・パーム油・ヤシ油・パーム核油・桐油・ヒマシ油・ゴマ油・大豆油あるいはこれらの群れの１種または２種以上の混合油や使用油（廃食油）などを含む食用の植物油や非食用のジャトロファ植物からの油も使用できるが、以下の実施例の原料油として菜種油と大豆油の２種類が混合された食用に使用された後の廃食油を使用した。
【００５３】
実施例で使用する原料油は不飽和脂肪酸のオレイン酸やリノール酸が５０〜７０％程度含有され、天ぷらなどに使用されるときの使用時間や温度などにより酸化が進行し、遊離脂肪酸が生成される。
【００５４】
廃食油を原料中に直鎖低級アルコールとして炭素数1〜6までの分岐状のメチルアルコール・エチルアルコール・ノルマルプロピルアルコール・イソプロピルアルコール・およびイソブチルアルコールからなる1種または２種以上のアルコールに、アルカリ触媒として水酸化カリウム・水酸化ナトリウム・水酸化マグネシウム・水酸化カルシウム・水酸化リチウム・炭酸カリウム・炭酸水素ナトリウム・炭酸ナトリウム・炭酸カルシウム・炭酸マグネシウムからなる群れから１種または２種以上が選ばれ、一定量溶解してアルキサイト溶液をエステル交換反応に使用する。
【００５５】
実施例では反応効率の高いメチルアルコールと水酸化カリウムを使用し、アルキサイト溶液としてメチルエステル交換反応に使用した。
【００５６】
図２の製造装置の特徴として図２中の９光透過式波長測定検知器と、１２の吸着塔Ａ及びＢが挙げられる。
【００５７】
光透過式波長測定検知器の詳細は図３に示したとおり、ＬＥＤの赤色波長を発光する発光部と測定対象試料溶液を透過した光を受光する受光部とからなり、透過光を増幅し、数値化する測定器から構成される。
【００５８】
光透過式波長測定検知器を取り付けるＬＥＤ光の発光部と受光部の間には、測定試料対象溶液が通過するセル部が必要で、図３の中では４．ポリカーボネート管として示される。
【００５９】
本発明の光透過式波長測定検知器のセル部に、塩化ビニール管やガラス管、あるいは石英管などを使用せずにポリカーボネート管を使用している事も特徴としている。
【００６０】
本発明では光透過式波長測定検知器のＬＥＤ赤色の発光強度設定値を１５００として、重液下層のグリセリン通過時と、軽液上層の脂肪酸アルキルエステル液の光透過強度の強弱により、三方コックに連動させて自動的に切り換えられるように設定を行った。
【００６１】
廃食油を図２の１の原料タンクに５０ｌを超える量を粗目の布や網などでろ過して移し入れ、６０℃昇温後にメチルアルコール１０ｌに水酸化カリウム７０ｇを溶解したアルカリ触媒溶液を添加し、２時間加熱撹拌後に１時間静置した。
【００６２】
静置分離された重液下層のグリセリン液と軽液上層の脂肪酸メチルエステル液とは光透過式波長測定検知器と連動した三方コックにより、反応タンク下部より最初に排出されるグリセリン層は製造装置系外のタンクに導入され、次に脂肪酸メチルエステル溶液は吸着塔ＡまたはＢに移し入れられる。
【００６３】
因みに光透過式波長測定検知器の赤色ＬＥＤの発行強度は１５００に設定し、グリセリン層の光透過式強度は２００〜３００で通過し、脂肪酸メチルエステル層の１９００〜２０００の光透過測定値から１５００付近に戻った時に、自動的に分離作業が完了する。
【００６４】
吸着塔内に導入された脂肪酸メチルエステル溶液は、粒状の活性白土の槽内を通過する事により、不純物のセッケン成分や残留グリセリンあるいは残留アルコールなどが吸着除去され、精製された脂肪酸メチルエステル溶液すなわち、バイオディーゼル燃料油として、ヨーロッパで制定されている各項目の規格基準値に合致した製品が製造された。
【実施例１】
【００６５】
以下に本発明の製造の条件を選定するための実験および結果を示す。実験はビーカースケールでスターラー及びオイルバスを用いて加熱撹拌を行い、排出されるグリセリン重量部及びＪＩＳＫ２２８３キャノフェンスケ管で４０℃の動粘度を測定しヨーロッパ統一規格ＥＮ１４２１４の３．５から５．０ｍｍ２／Ｓの範囲内にある条件を比較検討した。基本的な実験条件は原料廃食油量１００ｇ、加熱温度６０℃、加熱時間６０分として、メチルアルコール量及び水酸化カリウムのアルカリ触媒量の検討を行った。その結果を表１.に示す。
【表１】
2010265335.tif 000002
【００６６】
表１に見られるように、メチルアルコール量と水酸化カリウム量が多いＮｏ.３・４・７・８が本発明の最適条件として選定される。
【実施例２】
【００６７】
本実施例では水洗浄による排水処理作業を省略する為に、各種吸着剤を用いて比較検討を行い、その実験結果を表２に示す。
【００６８】
実施例２では廃食油１００ｇに対して、メチルアルコール量２０ｇおよび水酸化カリウム１．４ｇを用いて、５５℃で１００分間加熱撹拌を基本条件とした。グリセリン排出後の脂肪酸メチルエステル溶液の水洗浄は水１０ｇを添加して、７５℃で３０分間加熱撹拌後に静置及び分離し、水を排出した。
【００６９】
水排出後は残った脂肪酸メチルエステル溶液を９０℃以上で、１００分間加熱撹拌し、水分除去作業を行った溶液を比較対象試料として用いた。
【００７０】
本例で用いた吸着は活性白土（細粒）、活性白土（粗粒）、活性炭、珪藻土、アルミナホワイト、水酸化アルミニウムなどの種類を添加量を変化させて、不純物の除去効果の検討を行った。
【表２】
2010265335.tif 000003
【００７１】
表２.に見られるように、各種の多孔質の吸着材料を用いて不純物を吸着除去して精製した試料と、水洗浄作業後の脂肪酸メチルエステル溶液すなわち、バイオディーゼル燃料油と比較しても全く差異が認められず、水洗浄作業を省略する事が可能である事が確認された。
【図１】
2010265335.tif 000004
【図２】
2010265335.tif 000005
【図３】
2010265335.tif 000006